(57)【要約】      （修正有）【課題】フリーラジカル重合によって硬化可能な樹脂、フリーラジカル硬化剤、及びビニル又はアリル不飽和基を有するエポキシ化合物又は樹脂を含み、改善された応力性能を有するダイ取付接着剤を提供する。【解決手段】（ａ）フリーラジカル重合によって又はヒドロシレーションによって硬化可能な樹脂、（ｂ）ビニル又はアリル官能基を有するエポキシ化合物、（ｃ）樹脂（ａ）のための硬化剤及び（ｄ）充填剤を含むダイ取付接着剤組成物であって、エポキシ化合物用の硬化剤が存在しないことを特徴とする。【選択図】  なし【特許請求の範囲】
【請求項１】
（ａ）１０重量％〜８０重量％の量で存在し、フリーラジカル重合によって又はヒドロシレーションによって硬化可能な樹脂；
（ｂ）０．１重量％〜３０重量％の量で存在し、ビニル又はアリル官能基を有するエポキシ化合物；
（ｃ）０．１重量％〜１０重量％の量で存在する、樹脂（ａ）のための硬化剤；及び
（ｄ）場合によって、２０重量％〜９０重量％の量で存在する、充填材；
を含むダイ取付接着剤組成物であって、該エポキシ化合物用の硬化剤が存在しないことを特徴とする組成物。
【請求項２】
樹脂がマレイミド類、ポリエーテル類、ポリエステル類、ポリ（ブタジエン）類、ポリウレタン類、アクリレート類、シロキサン類、及びポリシロキサン類からなる群から選ばれる、請求項１のダイ取付接着剤組成物。
【請求項３】
エポキシ化合物が２，６−ジグリシジルフェニルアリルエーテル、リモネンジオキシド、グリシジルビニルベンジルエーテル、及びグリシジルビニルエーテルからなる群から選ばれる、請求項１のダイ取付接着剤組成物。
【請求項４】
充填材が存在し、充填材がカーボンブラック、グラファイト、金、銀、銅、白金、パラジウム、ニッケル、アルミニウム、炭化ケイ素、窒化ホウ素、ダイアモンド、アルミナ、バーミキュライト、マイカ、ウォラストナイト、炭酸カルシウム、チタニア、砂、ガラス、フューズドシリカ、フュームドシリカ、硫酸バリウム、並びに、テトラフルオロエチレン、トリフルオロエチレン、ビニリデンフルオライド、ビニルフルオライド、ビニリデンクロライド及びビニルクロライドの内の少なくとも１つから誘導されるポリマーからなる群から選ばれる、請求項１のダイ取付接着剤組成物。
【発明の詳細な説明】
【発明の詳細な説明】
【０００１】
発明の分野
本発明は、フリーラジカル重合によって硬化可能な樹脂、フリーラジカル硬化剤、及びビニル又はアリル不飽和基を有するエポキシ化合物又は樹脂を含み、改善された応力性能を有するダイ取付接着剤（die attach adhesives）であって、該エポキシ化合物のための硬化剤が存在しない接着剤に関する。
【０００２】
発明の背景
接着剤組成物は、半導体パッケージの作製及び組立、例えば、集積回路チップのリードフレーム又は他の基板への接着、スタックトダイアセンブリ、回路パッケージ又はアセンブリのプリント配線板への接着などの様々な目的に使用される。これら用途では主に速く硬化し、高い接着強度を有することが求められており、このような要求は、従来、エポキシ樹脂により達成されている。しかし、エポキシ樹脂は、脆く、パッケージ内に高応力を生じさせるので、その結果、可撓性及び他の性質（例えば、疎水性）を向上させるために他の樹脂が評価され、採用されている。しかし、この代替樹脂はエポキシ樹脂によって与えられる強力な接着力を常に示すとは限らない。それゆえ、半導体パッケージの製造に使用される接着剤に求められる要求を全て満たすバランスのとれた性質を備えているダイ取付接着剤が求められている。
【０００３】
発明の概要
本発明は、米国特許第６，７５０，３０１号に開示された発明の改良であり、（ａ）フリーラジカル重合によって又はヒドロシレーションによって硬化可能な樹脂；（ｂ）ビニル又はアリル不飽和基を含むエポキシ化合物；（ｃ）当該樹脂のための硬化剤；及び（ｄ）場合によって、一以上の充填材；を含む接着剤組成物であって、該エポキシ樹脂用の硬化剤が存在しないことを特徴とする組成物である。本明細書及び特許請求の範囲において使用されるように、フリーラジカル重合又は硬化可能な化合物又は樹脂は炭素−炭素不飽和結合を含むものであり、ヒドロシレーションによって重合又は硬化可能な化合物又は樹脂はケイ素−ヒドリド基を含むものである。この組成物はまた、接着促進剤又はカップリング剤を含むこともできる。
【０００４】
本発明者はエポキシ化合物用の硬化剤を除去することによって、そのエポキシ用硬化剤を含む配合物と比較して、（反りによって測定されるような）応力性能に予想外の改善を与え、接着力も維持されるか又は改善されることを見出した。別の態様において、本発明は、本発明の接着剤で基板に接着された半導体ダイを有する半導体パッケージである。
【０００５】
発明の詳細な記述
超小型電子技術の用途に接着剤として使用されることができるフリーラジカル硬化性樹脂としては、例えば、マレイミド類（例えば、Ciba Specialty Chemicalsから入手できるもの）；ポリエーテル類（例えば、BASFから入手できるもの）；ポリエステル類（例えば、Uniqema又はBayerから入手できるもの）；ポリ（ブタジエン）類（例えば、Elf-Atochemから入手できるもの）；ポリウレタン類（例えば、Bayer又はBASFから入手できるもの）；アクリレート樹脂（例えば、Sartomer又はUCB Radcureから入手できるもの）などが挙げられる。ポリエーテル類、ポリエステル類、及びポリウレタン類は、好ましくは末端に不飽和基を含むが、ポリマー鎖中にも不飽和基を含んでもよい。
【０００６】
ヒドロシレーションによって硬化されるシロキサン類及びポリシロキサン類は、線状又は環状のポリマーであってもよく、１分子当たり少なくとも２つのケイ素−ヒドリド官能基を有する。例えば、Gelestから商業的に入手できる化合物が挙げられる。
【０００７】
特定の樹脂が作業の専門家によって選ばれて、レオロジー的性質、親水性又は疎水性、靭性、強度、可撓性などの最終配合物における特定の材料の性質を与える。その樹脂は、１０〜８０重量％の範囲で接着剤組成物に存在する。
【０００８】
エポキシ化合物としては、アリル又はビニル官能基を有するエポキシ化合物のいずれも採用することができる。例として、２，６−ジグリシジルフェニルアリルエーテル、リモネンジオキシド、グリシジルビニルベンジルエーテル、グリシジルビニルエーテルなどが挙げられる。エポキシ化合物は、０．１〜３０重量％の範囲で接着剤組成物に存在する。
【０００９】
フリーラジカル開始剤としては、熱−又は光−開始剤を挙げることができ、０．１〜１０重量％、好ましくは０．１〜３．０重量％の量で接着剤組成物に存在する。好ましい熱開始剤としては、例えば、ジ−（４−ｔ−ブチルシクロヘキシル）パーオキシジカーボネート、ブチルパーオクトエート類、ジクミルペーオキサイドなどのパーオキサイド類；２，２’−アゾビス（２−メチル−プロパンニトリル）、２，２’−アゾビス（２−メチル−ブタンニトリル）などのアゾ化合物などが挙げられる。好ましい一連の光開始剤としては、Ciba Speciality ChemicalsによりIrgacureの商標で販売されているものがある。幾つかの配合物において、光硬化及び熱硬化の両方を行うことが好ましい。例えば、そのような硬化プロセスは、光照射によって開始されることができ、その後の加工工程において熱を加えることによって硬化を完了することができる。
【００１０】
一般に、これら組成物は７０℃〜２５０℃の温度範囲内で硬化し、硬化は１０秒〜３時間の範囲内で行う。各配合物の時間及び温度の硬化プロファイルはその配合物の構成成分によって変化するが、硬化プロファイルのパラメーターは過度の実験を行うことなく当業者によって調整されることができる。
【００１１】
いくつかの組成物において、有機又は無機の充填材を添加することが望ましい。好適な導電性充填材は、カーボンブラック、グラファイト、金、銀、銅、白金、パラジウム、ニッケル、アルミニウム、炭化ケイ素、窒化ホウ素、及びアルミナである。好適な非導電性充填材は、バーミキュライト、マイカ、ウォラストナイト、炭酸カルシウム、チタニア、砂、ガラス、フューズドシリカ、フュームドシリカ、硫酸バリウム、並びに、テトラフルオロエチレン、トリフルオロエチレン、ビニリデンフルオライド、ビニルフルオライド、ビニリデンクロライド、ビニルクロライドなどから誘導されるハロゲン化エチレンポリマーの粒子である。充填材は、存在させる場合には、組成物の重量基準で２０％〜９０％の量で存在させる。
【００１２】
望ましくは、接着促進剤又はカップリング剤、例えば、シラン類、シリケートエステル類、金属アクリレート類又は金属メタクリレート類、チタネート類、キレート化リガンド（例えば、フォスフィン、メルカプタン、アセトアセテートなど）を含む化合物類などを添加することもできる。これら材料は、存在させる場合には、組成物の重量基準で１０％以下の量、好ましくは０．１％〜３．０％の量で存在させる。
【００１３】
本発明をさらに以下の実施例により説明するが、これら実施例は本発明を限定するものではない。
【００１４】
実施例
これら実施例に関して半導体ダイの基板に対する接着強度はダイせん断強度（Kg force単位）として測定された。試験は、２層ＢＴプリント回路板に取り付けられた３×３ｍｍシリコンダイの未封入の（unencapsulated）アセンブリを使用して行った。この未封入のアセンブリは、オーブン中、室温から１７５℃までの３０分間の勾配で、その後１７５℃で１５分間保持して硬化された。その後、そのアセンブリは２つのグループに分けられた。第１のグループは、硬化直後にダイせん断強度を試験した（ポストキュア）。第２のグループは１７５℃で４時間ポストモールドベーキング（post-mold baking）の模擬条件に曝露され、その後、室温に戻してダイせん断強度を試験した（ポストモールドベーク）。ポストキュアのグループ及びポストモールドベークのグループの両方がさらに２つのサブグループに分けられた。第１のサブグループは室温でのダイせん断強度を試験し、第２のサブグループは２６０℃でのダイせん断強度を試験した。全てのアセンブリが、ダイを基板に接着する接着剤の破壊の結合力のあるモード（cohesive mode of failure）を呈した。
【００１５】
パッケージ内に存在する応力のレベルを未封入アセンブリにおけるダイの反りによって表示する。高い反りの値はダイ取付アセンブリにおける高い応力を示す。これらの実施例に関して２つのタイプのアセンブリが試験された。第１のタイプにおいて、１２．７×１２．７×０．３８ｍｍシリコンダイが０．２ｍｍ厚の銀メッキされた銅のリードフレームに取り付けられた。第２のタイプにおいて、７×８×０．０７６ｍｍシリコンダイが０．２ｍｍ厚のビスマレイミドトリアジン（ＢＴ）基板に取り付けられた。アセンブリは、オーブン中、室温から１７５℃までの３０分間の勾配で、その後１７５℃で１５分間保持して硬化された。これらのアセンブリはその後室温に戻され、ダイの反りが表面粗さ測定装置を使用して測定された。
【００１６】
以下の実施例においてアリル又はビニル官能基を有するエポキシ用の硬化剤を有する配合物とそれを有しない配合物が、上述したプロトコルを使用して、室温及びホットドライダイせん断強度（kg of force単位で測定した）及び反り（μｍ単位で測定した）に関して試験された。接着剤の組成及び性能の試験データは以下の表に示されており、それら表は、アリル又はビニル官能基を有するエポキシ用の硬化剤を有しない配合物が、同等かより高いダイせん断強度及びより低い反りを有していたことを示している。それゆえ、そのデータは、アリル又はビニル不飽和基を有するエポキシ化合物用の硬化剤を有しない配合物が接着剤の性能を予想外に向上させることを示している。組成は重量％で報告されている。以下の表中、「シリカ１」及び「シリカ２」は、それぞれ、株式会社アドマテックス製のＳＥ１０５０及びＳＥ６１００を示す。
【００１７】
【表１】
2006299261.tif 000002
【００１８】
【表２】
2006299261.tif 000003
【００１９】
【表３】
2006299261.tif 000004
【００２０】
【表４】
2006299261.tif 000005
【００２１】
【表５】
2006299261.tif 000006
【００２２】
【表６】
2006299261.tif 000007